(57)【要約】【課題】医用レポートを作成するときの参照するコンテンツの検査部位または検査種類に応じた処理を確実にかつ容易に行うことを可能とする医用レポート作成システム及び医用レポート作成方法を提供すること。【解決手段】医用レポートに用いられるキーワード及びコンテンツに関する少なくとも検査種類または検査部位を含む属性と、コンテンツに対する処理内容とを関連付けて記憶する処理内容テーブル１９と、入力手段１１からの医用レポートに記載されている文字列の範囲を指定する入力及び指定された文字列の範囲に係る処理対象のコンテンツを指定する入力を受け、処理テーブルを検索し指定された文字列の範囲が示すキーワード及び指定されたコンテンツの属性に対応する処理内容を求め、求めた処理内容に従って処理対象のコンテンツに対し処理を行うコンテンツ処理手段１８とを含む。【選択図】図２
2008090644.tif 000002
【特許請求の範囲】
【請求項１】
少なくとも医用画像を含み、該医用画像の属性を示す情報が付されたコンテンツを参照して医用レポートを作成するための医用レポート作成システムであって、
前記医用レポートに用いられるキーワード及びコンテンツに関する少なくとも検査種類または検査部位を含む属性と、コンテンツに対する処理内容とを関連付けて予め記憶する処理内容記憶手段と、
入力手段と、
前記入力手段からの、前記医用レポートに記載されている文字列の範囲を指定する入力、及び前記指定された文字列の範囲に係る処理対象のコンテンツを指定する入力を受け、前記処理内容記憶手段を検索し前記指定された文字列の範囲が示すキーワード及び前記指定されたコンテンツの属性に対応する処理内容を求め、前記求めた処理内容に従って前記処理対象のコンテンツに対し処理を行う処理手段とを含むことを特徴とする医用レポート作成システム。
【請求項２】
少なくとも医用画像を含み、該医用画像の属性を示す情報が付されたコンテンツを参照して医用レポートを作成するための医用レポート作成システムであって、
前記医用レポートに用いられるキーワード及びコンテンツに関する少なくとも検査種類または検査部位を含む属性と、コンテンツに対する処理内容とを関連付けて予め記憶する処理内容記憶手段と、
前記キーワードとその意味を示す文字列群とを関連付けて予め記憶する文字列群記憶手段と、
入力手段と、
前記入力手段からの、前記医用レポートに記載されている文字列の範囲を指定する入力及び前記指定された文字列の範囲に係る処理対象のコンテンツを指定する入力を受け、前記文字列群記憶手段を検索し前記指定された文字列の範囲の意味に対応するキーワードを求め、前記処理内容記憶手段を検索し前記求めたキーワード及び前記指定されたコンテンツの属性に対応する処理内容を求め、前記求めた処理内容に従って前記処理対象のコンテンツに対し処理を行う処理手段とを含むことを特徴とする医用レポート作成システム。
【請求項３】
前記処理によって取得または生成されるコンテンツを、前記指定された文字列の範囲にリンク付けするリンク付け手段をさらに含む請求項１または請求項２に記載の医用レポート作成システム。
【請求項４】
少なくとも医用画像を含み、該医用画像の属性を示す情報が付されたコンテンツを参照して医用レポートを作成するための医用レポート作成システムであって、
前記医用レポートに用いられるキーワード及びコンテンツに関する少なくとも検査種類または検査部位を含む属性と、コンテンツに対する処理内容とを関連付けて予め記憶する処理内容記憶手段と、
前記医用レポートに記載されている文字列からキーワードを示す文字列の範囲を抽出するキーワード抽出手段と、
入力手段と、
前記入力手段からの前記医用レポートに係る処理対象のコンテンツを指定する入力を受け、前記処理内容記憶手段を検索し前記抽出手段が抽出したキーワード及び前記指定されたコンテンツの属性に対応する処理内容を求め、前記求めた処理内容に従って前記処理対象のコンテンツに対し処理を行う処理手段とを含むことを特徴とする医用レポート作成システム。
【請求項５】
前記処理によって取得または生成されるコンテンツを、前記抽出された文字列の範囲にリンク付けするリンク付け手段をさらに含む請求項４に記載の医用レポート作成システム。
【請求項６】
少なくとも医用画像を含み、該医用画像の属性を示す情報が付されたコンテンツを参照して医用レポートを作成するための医用レポート作成方法であって、
前記医用レポートに用いられるキーワード及びコンテンツの少なくとも検査種類または検査部位を含む属性と、コンテンツに対する処理内容とを関連付けて記憶する段階と、
前記医用レポートに記載されている文字列の範囲を指定する範囲指定段階と、
前記指定された文字列の範囲に係る処理対象のコンテンツを指定するコンテンツ指定段階と、
前記記憶された処理内容を検索し前記指定された文字列の範囲が示すキーワード及び前記指定されたコンテンツの属性に対応する処理内容を求め、前記求めた処理内容に従って前記処理対象のコンテンツに対し処理を行う段階とを含むことを特徴とする医用レポート作成方法。
【請求項７】
少なくとも医用画像を含み、該医用画像の属性を示す情報が付されたコンテンツを参照して医用レポートを作成するための医用レポート作成方法であって、
前記医用レポートに用いられるキーワード及びコンテンツの少なくとも検査種類または検査部位を含む属性と、コンテンツに対する処理内容とを関連付けて記憶する段階と、
前記キーワードとその意味を示す文字列群とを関連付けて記憶する段階と、
前記医用レポートに記載されている文字列の範囲を指定する範囲指定段階と、
前記指定された文字列の範囲に係る処理対象のコンテンツを指定するコンテンツ指定段階と、
前記記憶された文字列群を検索し前記指定された文字列の範囲の意味に対応するキーワードを求め、前記記憶された処理内容を検索し前記求めたキーワード及び前記処理対象のコンテンツの属性に対応する処理内容を求め、前記求めた処理内容に従って前記処理対象のコンテンツに対し処理を行う段階とを含むことを特徴とする医用レポート作成方法。
【請求項８】
前記医用レポートを作成するための画面を表示する段階と、
前記処理対象のコンテンツを表示する段階とをさらに含み、
前記範囲指定段階は、前記画面に表示される前記文字列を指定することにより行われ、
前記コンテンツ指定段階は、前記画面に表示される前記指定された文字列の範囲上に前記処理対象のコンテンツを移動させることにより行われる請求項６または請求項７に記載の医用レポート作成方法。
【請求項９】
前記処理によって取得または生成されるコンテンツを、前記指定された文字列の範囲にリンク付けする段階をさらに含む請求項６乃至請求項８のいずれかに記載の医用レポート作成方法。
【請求項１０】
少なくとも医用画像を含み、該医用画像の属性を示す情報が付されたコンテンツを参照して医用レポートを作成するための医用レポート作成方法であって、
前記医用レポートに用いられるキーワード及びコンテンツの少なくとも検査種類または検査部位を含む属性と、コンテンツに対する処理内容とを関連付けて記憶する段階と、
前記医用レポートに記載されている文字列からキーワードを示す文字列の範囲を抽出する段階と、
前記医用レポートに係る処理対象のコンテンツを指定するコンテンツ指定段階と、
前記処理対象のコンテンツを指定する入力を受け、前記記憶された処理内容を検索し前記抽出したキーワード及び前記指定されたコンテンツの属性に対応する処理内容を求め、前記求めた処理内容に従って前記処理対象のコンテンツに対し処理を行う段階とを含むことを特徴とする医用レポート作成方法。
【請求項１１】
前記医用レポートを作成するための画面を表示する段階と、
前記処理対象のコンテンツを表示する段階とをさらに含み、
前記コンテンツ指定段階は、前記画面に表示される画面上に前記処理対象のコンテンツを移動させることにより行われる請求項１０に記載の医用レポート作成方法。
【請求項１２】
前記処理によって取得または生成されるコンテンツを、前記抽出された文字列の範囲にリンク付けする段階をさらに含む請求項６乃至請求項８のいずれかに記載の医用レポート作成方法。
【発明の詳細な説明】
【技術分野】
【０００１】
本発明は、例えば専門医が医用画像を参照し、医用レポートを作成するための医用レポート作成システム及び医用レポート作成方法に関し、例えば医用画像の医用レポートへのリンク付けを行う機能を有するものに関する。
【背景技術】
【０００２】
近年、Ｘ線ＣＴ装置、ＭＲＩ（Ｍａｇｎｅｔｉｃ  Ｒｅｓｏｎａｎｃｅ  Ｉｍａｇｉｎｇ）装置、或いは、ＣＲ（Ｃｏｍｐｕｔｅｄ  Ｒａｄｉｏｇｒａｐｈｙ）装置などのデジタル画像診断装置の普及により診断画像（医用画像）の発生はますます増大化している。
【０００３】
また、医療行為の専門分野が細分化され、上記の医用画像の読影を専門医に依頼することが広く行われている。依頼を受けた専門医は、読影対象の画像を表示させて、読影結果を医用レポートとしてまとめ依頼元に渡す処置を行っている。
【０００４】
また、この医用レポートの作成を電子的に行う装置が実用化されている。この装置では、例えば読影依頼元からネットワーク配信等によって渡される医用画像をいったん蓄積し、レポートシートを画面表示して、そのシート上に必要な項目を入力する。そして、読影対象の画像を順次表示させ、その画像の所見をシート内の所見記入欄へ、画像所見を元に、読影依頼元での検査目的を考慮した診断結果を診断記入欄へ書き込む。所見で指摘する画像については、必要に応じて縮小／拡大画像または切り出し画像を作成し、画像添付欄等に貼り付ける。以上の手順によって作成された医用レポートのシートデータは、例えばネットワークを通じて読影依頼元に渡される。
【０００５】
ところで、上記のような従来の医用レポートでは、所見の記入内容と貼付画像との関係がわかりにくいケースが多々あることが指摘されている。例えば、所見の文章中に互いに似通った複数の画像が指摘されているようなケースでは、指摘画像の誤認が生じるおそれがある。また、レポート画面上に貼付画像を表示する場合に、モニタ解像度や画面のスペースによっては所見情報を正確に伝えられないこともある。また、読影画像のみならず、読影画像との比較のために、過去の医用レポート、履歴情報等を参照させたい場合には、各情報ファイルを読み出して編集し、レポート中に貼り付けるといった、煩雑な作業が強いられる。
【０００６】
そこで、その内容に関わる例えば医用画像、過去のレポートまたは履歴情報などのコンテンツを医用レポートに記述された所見の記入内容（文字列の範囲）にリンクさせ、その文字列にリンク付けがなされていることを表示するようにし、その文字列を指定することによりリンク付けされたコンテンツを表示可能にした医用レポート作成システムがある（例えば、特許文献１参照。）。また、コンテンツのリンク付けに加え、医用レポートの読解を容易にするように、所見の記入内容の根拠となった部分を強調した医用画像を表示するようにしたものがある（例えば、特許文献２参照。）。
【０００７】
以上述べたように、所見の記載内容と医用画像とをリンク付けすることにより、所見の記載内容と医用画像との関係がわかりやすくなった。また、医用画像に処理を加えることによりレポートの所見内容を解読しやすくなっている。
【０００８】
【特許文献１】特開２００５−３０１４５３号公報
【特許文献２】特開２００３−２９６４５１号公報
【発明の開示】
【発明が解決しようとする課題】
【０００９】
しかしながら、医用レポートを作成において、コンテンツのリンク付けに際し、表示させる位置などの指定は必要である。また、比較のための過去の医用レポート、履歴情報などについては検索などを行う必要がある。またさらに、依頼された医用画像の読影にあたりＣＡＤ（Ｃｏｍｐｕｔｅｒ  Ａｉｄｅｄ  Ｄｉａｇｎｏｓｔｉｃ）などの画像処理を必要とする場合がある。つまり、医用レポートの作成においては、煩雑な作業が強いられている。
【００１０】
また、参照するコンテンツの検査部位や検査に用いるＸ線ＣＴ装置、ＭＲＩ装置またはＣＲ装置など種類（検査種類）に応じて、過去の医用レポート、履歴情報などとの比較やＣＡＤなどの画像処理は決められていることが多い。したがって、必要な比較や処理が行われていない場合に、作成された医用レポートに対し問題として指摘される場合がある。
【００１１】
本発明は、上記事情に鑑みてなされたものであり、その目的とするところは、医用レポートを作成するときの参照するコンテンツの検査部位または検査種類に応じた処理を確実にかつ容易に行うことを可能とする医用レポート作成システム及び医用レポート作成方法を提供することを目的とする。
【課題を解決するための手段】
【００１２】
上記課題を解決するために請求項１記載の発明は、少なくとも医用画像を含み、該医用画像の属性を示す情報が付されたコンテンツを参照して医用レポートを作成するための医用レポート作成システムであって、前記医用レポートに用いられるキーワード及びコンテンツに関する少なくとも検査種類または検査部位を含む属性と、コンテンツに対する処理内容とを関連付けて予め記憶する処理内容記憶手段と、入力手段と、前記入力手段からの、前記医用レポートに記載されている文字列の範囲を指定する入力、及び前記指定された文字列の範囲に係る処理対象のコンテンツを指定する入力を受け、前記処理内容記憶手段を検索し前記指定された文字列の範囲が示すキーワード及び前記指定されたコンテンツの属性に対応する処理内容を求め、前記求めた処理内容に従って前記処理対象のコンテンツに対し処理を行う処理手段とを含むことを特徴としている。
【００１３】
また、請求項２記載の発明は、少なくとも医用画像を含み、該医用画像の属性を示す情報が付されたコンテンツを参照して医用レポートを作成するための医用レポート作成システムであって、前記医用レポートに用いられるキーワード及びコンテンツに関する少なくとも検査種類または検査部位を含む属性と、コンテンツに対する処理内容とを関連付けて予め記憶する処理内容記憶手段と、前記キーワードとその意味を示す文字列群とを関連付けて予め記憶する文字列群記憶手段と、入力手段と、前記入力手段からの、前記医用レポートに記載されている文字列の範囲を指定する入力及び前記指定された文字列の範囲に係る処理対象のコンテンツを指定する入力を受け、前記文字列群記憶手段を検索し前記指定された文字列の範囲の意味に対応するキーワードを求め、前記処理内容記憶手段を検索し前記求めたキーワード及び前記指定されたコンテンツの属性に対応する処理内容を求め、前記求めた処理内容に従って前記処理対象のコンテンツに対し処理を行う処理手段とを含むことを特徴としている。
【００１４】
また、請求項４記載の発明は、少なくとも医用画像を含み、該医用画像の属性を示す情報が付されたコンテンツを参照して医用レポートを作成するための医用レポート作成システムであって、前記医用レポートに用いられるキーワード及びコンテンツに関する少なくとも検査種類または検査部位を含む属性と、コンテンツに対する処理内容とを関連付けて予め記憶する処理内容記憶手段と、前記医用レポートに記載されている文字列からキーワードを示す文字列の範囲を抽出するキーワード抽出手段と、入力手段と、前記入力手段からの前記医用レポートに係る処理対象のコンテンツを指定する入力を受け、前記処理内容記憶手段を検索し前記抽出手段が抽出したキーワード及び前記指定されたコンテンツの属性に対応する処理内容を求め、前記求めた処理内容に従って前記処理対象のコンテンツに対し処理を行う処理手段とを含むことを特徴としている。
【００１５】
また、請求項６記載の発明は、少なくとも医用画像を含み、該医用画像の属性を示す情報が付されたコンテンツを参照して医用レポートを作成するための医用レポート作成方法であって、前記医用レポートに用いられるキーワード及びコンテンツの少なくとも検査種類または検査部位を含む属性と、コンテンツに対する処理内容とを関連付けて記憶する段階と、前記医用レポートに記載されている文字列の範囲を指定する範囲指定段階と、前記指定された文字列の範囲に係る処理対象のコンテンツを指定するコンテンツ指定段階と、前記記憶された処理内容を検索し前記指定された文字列の範囲が示すキーワード及び前記指定されたコンテンツの属性に対応する処理内容を求め、前記求めた処理内容に従って前記処理対象のコンテンツに対し処理を行う段階とを含むことを特徴としている。
【００１６】
また、請求項７記載の発明は、少なくとも医用画像を含み、該医用画像の属性を示す情報が付されたコンテンツを参照して医用レポートを作成するための医用レポート作成方法であって、前記医用レポートに用いられるキーワード及びコンテンツの少なくとも検査種類または検査部位を含む属性と、コンテンツに対する処理内容とを関連付けて記憶する段階と、前記キーワードとその意味を示す文字列群とを関連付けて記憶する段階と、前記医用レポートに記載されている文字列の範囲を指定する範囲指定段階と、前記指定された文字列の範囲に係る処理対象のコンテンツを指定するコンテンツ指定段階と、前記記憶された文字列群を検索し前記指定された文字列の範囲の意味に対応するキーワードを求め、前記記憶された処理内容を検索し前記求めたキーワード及び前記処理対象のコンテンツの属性に対応する処理内容を求め、前記求めた処理内容に従って前記処理対象のコンテンツに対し処理を行う段階とを含むことを特徴としている。
【００１７】
また、請求項１０記載の発明は、少なくとも医用画像を含み、該医用画像の属性を示す情報が付されたコンテンツを参照して医用レポートを作成するための医用レポート作成方法であって、前記医用レポートに用いられるキーワード及びコンテンツの少なくとも検査種類または検査部位を含む属性と、コンテンツに対する処理内容とを関連付けて記憶する段階と、前記医用レポートに記載されている文字列からキーワードを示す文字列の範囲を抽出する段階と、前記医用レポートに係る処理対象のコンテンツを指定するコンテンツ指定段階と、前記処理対象のコンテンツを指定する入力を受け、前記記憶された処理内容を検索し前記抽出したキーワード及び前記指定されたコンテンツの属性に対応する処理内容を求め、前記求めた処理内容に従って前記処理対象のコンテンツに対し処理を行う段階とを含むことを特徴としている。
【発明の効果】
【００１８】
本発明にかかる医用レポート作成システム、医用レポート作成方法よれば、医用レポートに用いられるキーワードと参照するコンテンツの検査部位または検査種類とに対応した処理内容を予め記憶しておき、医用レポートを作成するときにキーワードと参照するコンテンツの検査部位または検査種類とから処理内容を求めることにより、参照するコンテンツに対する処理を確実にかつ容易に行うことができる。
【発明を実施するための最良の形態】
【００１９】
〈第１の実施形態〉
（システム構成）
図１は、本発明に係る医用レポート作成システムの構成の一例を表している。本実施形態の医用レポート作成システムは、レポート作成装置１（医用管理装置）、医用画像診断装置２、画像サーバ３、レポートサーバ４、及び、表示装置５を含んで構成され、それぞれ専用通信回線やインターネット等のネットワークＮを介して接続されている。また、本実施形態の医用レポート作成システムには、図示しないＨＩＳ（病院情報システム）、ＲＩＳ（放射線部門管理システム）が接続されている。
【００２０】
レポート作成装置１は、いわゆるコンピュータ端末で、アプリケーションソフトを備え、所定のレポートシートを表示して、そのシート上に必要な項目を入力するレポート作成機能、ネットワークＮを介して送信される医用画像、過去のレポートまたは履歴情報などのコンテンツを表示する読影クライアントとしての機能を有する。医師或いはオペレータ（以下操作者という）の操作に従って、レポート作成装置１は、所見の書き込み、コンテンツについて所定の処理、診断結果の書き込みなどを行って、医用レポートを示す医用レポートデータを生成する。また、この生成した医用レポートデータをネットワークＮを介してレポートサーバ４に送信する。
【００２１】
医用画像診断装置２は、検査を行って医用画像データを取得し、医用画像データをネットワークＮを介して画像サーバ３に送る。また、医用画像診断装置２は、具体的には、超音波診断装置、Ｘ線ＣＴ装置、核磁気共鳴診断装置（いわゆるＭＲＩ）、ＣＲ（Ｃｏｍｐｕｔｅｄ  Ｒａｄｉｏｇｒａｐｈｙ）装置、もしくは、核医学診断装置などのいわゆるモダリティである。また、図１には、本システムに一の医用画像診断装置２が備えられるように示したが、複数の医用画像診断装置２が接続されている。
【００２２】
画像サーバ３は、いわゆるサーバで、医用画像診断装置２から送信される医用画像データを受信して記憶し、また、送信要求に応じて医用画像データをレポート作成装置１或いは表示装置５に送信するものである。
【００２３】
また、レポートサーバ４は、いわゆるサーバで、レポート作成装置１から送信される医用レポートデータまたは履歴情報を受信して記憶し、また、送信要求に応じて医用レポートデータまたは履歴情報を表示装置５に送信するものである。
【００２４】
また、画像サーバ３及びレポートサーバ４は、例えば、ＤＶＤ（Ｄｉｇｉｔａｌ  Ｖｉｄｅｏ  Ｄｉｓｃ）やＣＤ（Ｃｏｍｐａｃｔ  Ｄｉｓｋ）などの記録媒体を複数枚収容し、オートチェンジャー機構を用いて自動的に選択して書き込み及び読み出しを行う記憶装置、また、大容量の記憶手段（例えば、ハードディスク）を備えたサーバなどでもよい。
【００２５】
表示装置５は、いわゆるコンピュータ端末で、アプリケーションソフトを備え、ネットワークＮを介して画像サーバ３或いはレポートサーバ４に送信要求を行い、送信される医用画像データに基づいて画像を表示、または、送信される医用レポートデータに基づいて医用レポートを表示いわゆるビューワとしての機能を有する。
【００２６】
（レポート作成装置の制御構成）
図２は、本実施の形態の医用レポート作成システムにおけるレポート作成装置１の制御構成の一例を示す機能ブロック図である。
【００２７】
図２に示すように、本発明の画像管理装置１は、入力手段１１、制御部１２、表示手段１４及び送受信手段１５で構成される。
【００２８】
入力手段１１は、各種入力を行うための、キーボード等の入力デバイスや、マウス・トラックボール等のポインティングデバイスから構成されている。
【００２９】
また、表示手段１４は、画像、レポート等の各種表示を行うためのもので、ＬＣＤやＣＲＴなどで構成されている。
【００３０】
送受信手段１５は、送受信インターフェイス回路などから構成され、各種指示、各種要求、及び、各種データをネットワークＮを介して送受信する処理を実行する。
【００３１】
制御部１２は、ＣＰＵ（ｃｅｎｔｒａｌ  ｐｒｏｃｅｓｓｉｎｇ  ｕｎｉｔ）等の演算制御装置（図示せず）を含み、プログラムを格納するＲＯＭ（ｒｅａｄ−ｏｎｌｙ  ｍｅｍｏｒｙ）等のプログラム格納部（図示せず）を含み、制御部１２は、格納されたプログラムやネットワークを介し外部から送信される各種の要求若しくは入力手段１１から入力される指示情報などに従って画像管理装置１の各部の制御を行う。また、そのプログラムを実行するときのワークエリアを構成するシステムメモリや不揮発性ＲＡＭ（ｒａｎｄｏｍ  ａｃｃｅｓｓ  ｍｅｍｏｒｙ）などで構成される記憶手段（図示せず）を含んで構成される。
【００３２】
また、制御部１２は、文字列指定入力受付け手段１７、コンテンツ指定入力受付け手段１６、コンテンツ処理手段１８（処理手段）、処理内容テーブル１９（処理内容記憶手段）及びリンク付け手段１３を含み、入力手段１１からの入力に基づいて医用レポートを作成する機能、画像、医用レポート等を表示手段１４に表示する表示制御手段としての機能、作成した医用レポートを示す医用レポートデータを送受信手段１５を介して送信する機能を有する。
【００３３】
文字列指定入力受付け手段１７は、表示手段１４に表示される作成中の医用レポートに入力手段１１からの入力に基づいて記載された文字列に対し範囲を指定する入力を受け付ける。この文字列の範囲の指定の入力は、例えば入力手段１１を用いて文字列にカーソルを合わせ範囲を特定することにより行われる。また、文字列の範囲は、例えば部位、所見または診断などに関する単語や語句などで、本発明の医用レポートに用いられるキーワードを示すものである。
【００３４】
コンテンツ指定入力受付け手段１６は、指定された文字列の範囲と関連する処理対象のコンテンツを指定する入力を受け付ける。このコンテンツの指定の入力は、例えばコンテンツを示すファイルを選択可能に表示手段１４に表示し、入力手段１１を用いて所望のコンテンツにカーソルを合わせ指定された文字列の範囲にドラッグアンドドロップするにより行われる。
【００３５】
コンテンツ処理手段１８は、指定されたコンテンツに対し所定の処理を行う。所定の処理は、処理内容テーブル１９に、キーワード及び属性に関連付けて記憶され、コンテンツ処理手段１８は、キーワード及び属性に対応する処理を実行する。ここで、属性とは検査部位または検査種類を含むもので、コンテンツに付帯情報として付帯され、コンテンツ処理手段１８は、付帯情報からコンテンツについての属性情報を取得する。例えば、コンテンツが画像の場合には、ＤＩＣＯＭ形式に基づいてヘッダ情報が付帯され、ヘッダ情報にＣＴ、ＣＲなどの検査種類、検査部位などの属性情報が含まれる。また、属性とコンテンツとを関連付けたデータベースの形で予め記憶しておき、コンテンツ処理手段１８は、データベースを検索することにより属性情報を取得するようにしてもよい。
【００３６】
図３に、処理内容テーブル１９の構成の一例を示す。図３に示すように、処理内容テーブル１９には、各データごとにキーワード及び属性と処理内容が関連付けて記憶されている。例えば、「前回比較」が文字列の範囲として指定され、指定されたコンテンツとしての画像データの属性が「ＣＴ」であれば、コンテンツ処理手段１８は、キーワードが「前回比較」且つ属性が「ＣＴ」のデータを検索し、処理内容として「同一モダリティ最新過去検査検索、左過去検査−右対象検査並べ、スタック表示」を得る。そして、コンテンツ処理手段１８は、画像サーバ３に対し、当該患者の同一モダリティすなわち医用画像診断装置２により取得された直近の画像データの送信を要求し、その画像データを受けて、表示手段１４に直近の画像データによる画像を左、指定した画像データの画像を右に並べてスタック表示形式で表示する。
【００３７】
また、キーワードが「ノジュールサイズ」且つ属性が「ＣＲ」であれば、処理内容は「ノジュール検出ＣＡＤ、ノジュール面積計算、検出、計算結果オーバレイ作成、作成画像表示」となる。すなわち、コンテンツ処理手段１８は、指定されたコンテンツとしての画像データに基づく画像に対しＣＡＤ処理を行い、処理後の画像からノジュール面積を計算し、オーバレイを生成しその画像を表示する。コンテンツ処理手段１８は、このように処理を行って、新たな画像を生成した場合にその画像データを送受信手段１５を介して画像サーバ３に送信し、画像サーバ３はその画像データを保存する。また、新たな画像データのみならず履歴情報などのコンテンツについても同様に保存する。
【００３８】
リンク付け手段１３は、指定された文字列の範囲に、指定された文字列の範囲と関連するコンテンツをリンク付けする。関連するコンテンツとは、コンテンツ処理手段１８による処理により取得されたコンテンツ、または、処理により生成されたコンテンツのことである。処理により取得されたコンテンツとは、例えば上記のように文字列の範囲に対し指定されたコンテンツ、または、検索などにより得られたコンテンツである。また、処理により生成されたコンテンツとは、例えば上記のＣＡＤ処理がなされた画像や、オーバレイを表示する画像など処理により加工、または生成などされたコンテンツである。リンク付けは、当該コンテンツの保存されているサーバなどのアドレス情報を取得し、その文字列にコンテンツの識別子（識別情報）とともに、そのアドレス情報をハイパーリンクの形式で貼り付ける。図４に、ハイパーリンクの形式で貼り付けられる情報の一例を示す。図４に示すように、ヘッダ、アドレス情報、及び、コンテンツ識別子を含み、図４は、コンテンツが画像の場合の一例であり、表示するときの表示位置などを示す表示パラメータも含んでいる。
【００３９】
また、制御部１２は、ハイパーリンクが設定された文字列の範囲の色を変更しかつ下線を付してリンク付けがなされていることを識別可能に表示する。
【００４０】
そして、制御部１２は、上述のように作成された医用レポートを医用レポートデータとして、送受信手段１５及びネットワークＮを介してレポートサーバ４に送信し保存する。また、表示装置５は、レポートサーバ４に医用レポートデータの送信要求を行い、送信される医用レポートデータに基づいて医用レポートを表示し、色変更且つ下線が付された文字列の範囲をクリックすることにより関連した画像などのコンテンツを表示できる。
【００４１】
（動作態様）
本実施形態の当該システムのレポート作成装置１において行われる処理の手順の一例について、図５を用いて説明する。図５は、レポート作成装置１における動作態様の一例を示すフローチャートである。
【００４２】
初めに、レポート作成装置１は、例えばネットワークＮを介してコンテンツを受信し（ステップＳ１０１。以下、ステップＳ１０１を省略してＳ１０１と表示する。他のステップも同様に省略して表示する。）、制御部１２は、表示手段１４にコンテンツを表示する（Ｓ１０２）。例えば、コンテンツは本レポート作成装置１からの送信要求や他の装置からのレポート作成装置１への送信要求に応じて送信されたものである。例えば、画像サーバ３からネットワークＮを介して医用画像データが送信され、制御部１２は、その医用画像データを受けて、医用画像を表示手段１４に表示する。
【００４３】
次に、制御部１２は、入力手段１１からの指示に従って医用レポートを作成ためのアプリケーションソフトを起動し、医用レポート作成用の画面を表示する（Ｓ１０３）。この画面には、所見記入欄や診断記入欄が表示され、操作者により、例えば医用画像に対する所見が入力され、所見欄に入力された文字列が配列される（Ｓ１０４）。そして、画像、過去の医用レポートまたは履歴情報等のコンテンツをリンク付けするために、このように文字列が配列された状態で、まず操作者が入力手段１１を用いて文字列にカーソルを合わせて範囲を指定する入力を行う。制御部１２の文字列指定入力受付け手段１７は、文字列の範囲指定の入力を受ける（Ｓ１０５）。次に、操作者が入力手段１１を用いて、表示手段１４に表示されているコンテンツの中の処理対象のコンテンツを指定する入力を行う。制御部１２のコンテンツ指定入力受付け手段１６は、コンテンツ指定の入力を受ける（Ｓ１０６）。例えば、入力手段１１を用いて、コンテンツをドラッグ操作し、医用レポート作成用の画面に表示されている文字列の指定された範囲の部分にドロップ操作することで、処理対象のコンテンツの指定を行う。
【００４４】
制御部１２のコンテンツ処理手段１８は、指定されたコンテンツの属性を、例えばコンテンツの付帯情報から取得する（Ｓ１０７）。さらに、コンテンツ処理手段１８は、処理内容テーブル１９を検索して、指定された文字列の範囲をキーワードとし、キーワードとコンテンツの属性に対応する処理内容を求め（Ｓ１０８）、その処理内容に従って処理を実行する（Ｓ１０９）。このときに、制御部１２は、図３の説明のように新たなコンテンツを生成した場合には（Ｓ１１０、ＹＥＳ）、そのコンテンツを例えば画像サーバ３などの所定の記憶手段に送信し保存する（Ｓ１１１）。
【００４５】
制御部１２のリンク付け手段１３は、指定された文字列の範囲に、処理により取得されたコンテンツまたは生成されたコンテンツをハイパーリンク形式でリンク付けし（Ｓ１１２）、制御部１２は、ハイパーリンクが設定された文字列の範囲を識別可能に表示する（Ｓ１１３）。また、操作者は所見などの入力することがさらにあればその入力を行う（Ｓ１１４）。
【００４６】
ここで、さらに操作者がリンク付けする文字列の範囲があると判断した場合には（Ｓ１１５、ＹＥＳ）、再びＳ１０５乃至Ｓ１１５を繰り返す。また、操作者がリンク付けする文字列の範囲がないと判断した場合には（Ｓ１１５、ＮＯ）、例えば入力手段１１を用いて保存及び終了の入力がなされ、制御部１２は、医用レポートデータを送受信手段１５及びネットワークＮを介してレポートサーバ４に送信し保存する（Ｓ１１６）。このように、指定されたコンテンツに対し、キーワードとコンテンツの属性に対応した処理内容で処理を行い、処理結果がリンク付けされた医用レポートを作成することができる。また、処理内容は、処理内容テーブル１９に予め記憶されているので、キーワードとコンテンツの属性に対応した処理を確実且つ容易に行うことができる。
【００４７】
〈第２の実施形態〉
本発明に係る第２の実施形態としての医用レポート作成システムについて説明する。なお、以下には第１の実施の形態と実質的に同様の構成については、詳細な説明を省略し、主に異なる点について述べる。
【００４８】
本実施形態の特徴は、指定された文字列の範囲が処理内容テーブル１９のキーワードと同一の意味であれば、指定された文字列をそのキーワードと解釈できるようにすることで、文字列の範囲がキーワードと完全に一致していなくとも所定の処理を行えるようにするものである。
【００４９】
（レポート作成装置の制御構成）
図６は、本実施の形態の医用レポート作成システムにおけるレポート作成装置１の制御構成の一例を示す機能ブロック図である。
【００５０】
図６に示すように、本実施の形態において制御部１２は、さらにキーワード化手段２０、意味対照テーブル２１（文字列群記憶手段）をさらに含む。
【００５１】
キーワード化手段２０は、文字列指定入力受付け手段１７が受け付けた文字列の範囲の意味に対応するキーワードを意味対照テーブル２１を検索して求める機能を有し、求めたキーワードをコンテンツ処理手段１８に送る。
【００５２】
図７に意味対照テーブル２１の構成の一例を示す。図７に示すように、意味対照テーブル２１には、各キーワードごとに文字列群が関連付けて記憶されている。ただし、キーワードに対し１つの文字列が関連付けられる場合もあるが、文字列群の数は多いことが望ましい。そして、キーワード化手段２０は、まず、指定された文字列の範囲と一致するキーワードまたは文字列群を検索し、キーワードと一致したらそのキーワードをコンテンツ処理手段１８に送り、文字列群の中の文字列と一致したら、その文字列に対応するキーワードをコンテンツ処理手段１８に送る。例えば、指定された文字列の範囲が「前回比較」であれば、キーワードの「前回比較」と一致するので「前回比較」をキーワードとしてコンテンツ処理手段１８に送り、指定された文字列の範囲が「前の検査と比較して」であれば、文字列群の「前の検査と比較して」と一致するので文字列群の「前の検査と比較して」に対応する「前回比較」をキーワードとしてコンテンツ処理手段１８に送る。
【００５３】
コンテンツ処理手段１８は、送られたキーワードに基づいて処理内容を求めコンテンツの処理を行う。
【００５４】
（動作態様）
本実施形態の当該システムのレポート作成装置１において行われる処理の手順の一例について、図８を用いて説明する。図８は、レポート作成装置１における動作態様の一例を示すフローチャートである。
【００５５】
図８に示すＳ２０１乃至Ｓ２０５は、それぞれ第１の実施の形態における図５に示したＳ１０１乃至Ｓ１０５と同様である。そして、Ｓ２０６では、キーワード化手段２０が、受け付けた文字列の範囲について意味対照テーブル２１を検索して、キーワードに一致すればそのキーワードを、また、文字列群と一致すれば、その文字列群に対応するキーワードをコンテンツ処理手段１８に送る。
【００５６】
次に、第１の実施の形態と同様に、操作者が処理対象のコンテンツを指定する入力を行い、制御部１２のコンテンツ指定入力受付け手段１６は、コンテンツ指定の入力を受け（Ｓ２０７）、そして、制御部１２のコンテンツ処理手段１８は、指定されたコンテンツの属性を取得する（Ｓ２０８）。ここで、コンテンツ処理手段１８は、処理内容テーブル１９を検索して、キーワード化手段２０から送られたキーワードとコンテンツの属性に対応する処理内容を求め（Ｓ２０９）、その処理内容に従って処理を実行する（Ｓ２１０）。
【００５７】
さらに、図８に示すＳ２１１乃至Ｓ２１７は、それぞれ第１の実施の形態における図５に示したＳ１１０乃至Ｓ１１６と同様である。
【００５８】
〈第３の実施形態〉
本発明に係る第３の実施形態としての医用レポート作成システムについて説明する。なお、以下には上記の実施の形態と実質的に同様の構成については、詳細な説明を省略し、主に異なる点について述べる。
【００５９】
本実施形態の特徴は、表示手段１４に表示される作成中の医用レポートに入力手段１１からの入力に基づいて記載された文字列からキーワードを抽出し、抽出されたキーワードに基づいて処理の内容を求め所定の処理を行うようにしたものである。
【００６０】
（レポート作成装置の制御構成）
図９は、本実施の形態の医用レポート作成システムにおけるレポート作成装置１の制御構成の一例を示す機能ブロック図である。
【００６１】
図９に示すように、本実施の形態において制御部１２は、第１の実施の形態における文字列指定入力受付け手段１７、または、第２の実施の形態の文字列指定入力受付け手段１７、キーワード化手段２０及び意味対照テーブル２１に代えて、キーワード抽出手段２２を含む。
【００６２】
キーワード抽出手段２２は、表示手段１４に表示される作成中の医用レポートに入力手段１１からの入力に基づいて記載された文字列から、いわゆるテキストマイニング技術（山岸宏匡ら”テキストマイニング技術を用いた読影レポートの記述単位による構造化”、日本医用画像工学会（ＪＡＭＩＴ）誌、ＭＥＤＩＣＡＬ  ＩＭＡＧＩＮＧ  ＴＥＣＨＮＯＬＯＧＹ  Ｖｏｌ．２３  Ｎｏ．５  Ｎｏｖｅｍｂｅｒ  ２００５、３２８頁乃至３３２ページ参照）を利用してキーワードを抽出する機能を有する。具体的は、図１０に示すように、単語分割手段２３、キーワード判定手段２４及び辞書テーブル２５を含んで構成される。
【００６３】
単語分割手段２３は、医用レポートに記載された文字列のテキストデータを形態素解析することにより単語単位に分割する。辞書テーブル２５は、予め部位を示す部位単語、所見を示す所見単語等のキーワードを予め記憶し、キーワード判定手段２４は、分割された単語を辞書テーブル２５に照らし合わせることで、分割された単語からキーワードとなる単語を抽出する。
【００６４】
コンテンツ指定入力受付け手段１６は、処理対象のコンテンツを指定する入力を受け付ける。このコンテンツの指定の入力は、例えばコンテンツを示すファイルを選択可能に表示手段１４に表示し、入力手段１１を用いて所望のコンテンツにカーソルを合わせ例えば所見欄にドラッグアンドドロップするにより行われる。
【００６５】
コンテンツ処理手段１８は、抽出されたキーワードと処理対照のコンテンツの属性基づいて処理内容を求めコンテンツの処理を行う。
【００６６】
（動作態様）
本実施形態の当該システムのレポート作成装置１において行われる処理の手順の一例について、図１１を用いて説明する。図１１は、レポート作成装置１における動作態様の一例を示すフローチャートである。
【００６７】
図１１に示すＳ３０１乃至Ｓ３０４は、それぞれ第１の実施の形態における図５に示したＳ１０１乃至Ｓ１０４と同様である。所見が入力されたら、例えば入力手段１１を用いて入力されるキーワード抽出指示にしたがって、キーワード抽出手段２２は、上述したように所見欄に記載された文字列のテキストデータを用いてキーワードを抽出する（Ｓ３０５）。
【００６８】
次に、操作者が入力手段１１を用いて、表示手段１４に表示されているコンテンツの中の処理対象のコンテンツを指定する入力を行う。制御部１２のコンテンツ指定入力受付け手段１６は、コンテンツ指定の入力を受ける（Ｓ３０６）。例えば、入力手段１１を用いて、コンテンツをドラッグ操作し、医用レポート作成用の所見欄の部分にドロップ操作することで、処理対象のコンテンツの指定を行う。
【００６９】
制御部１２のコンテンツ処理手段１８は、指定されたコンテンツの属性を、例えばコンテンツの付帯情報から取得する（Ｓ３０７）。さらに、コンテンツ処理手段１８は、処理内容テーブル１９を検索して、抽出されたキーワードとコンテンツの属性に対応する処理内容を求め（Ｓ３０８）、その処理内容に従って処理を実行する（Ｓ３０９）。ただし、複数のキーワードが抽出されている場合には、それぞれのキーワードについて順次処理を行うことになる。また、このときに、制御部１２は、図３の説明のように新たなコンテンツを生成した場合には（Ｓ３１０、ＹＥＳ）、そのコンテンツを例えば画像サーバ３などの所定の記憶手段に送信し保存する（Ｓ３１１）。
【００７０】
制御部１２のリンク付け手段１３は、キーワードとした文字列の範囲に、処理により取得されたコンテンツまたは生成されたコンテンツをハイパーリンク形式でリンク付けし（Ｓ３１２）、制御部１２は、ハイパーリンクが設定された文字列の範囲を識別可能に表示する（Ｓ３１３）。
【００７１】
ほかにキーワードが抽出されている場合には（Ｓ３１４、ＹＥＳ）、再びＳ３０８乃至Ｓ３１３を繰り返す。また、抽出されていない場合には（Ｓ３１４、ＮＯ）、例えば入力手段１１を用いて保存及び終了の入力がなされ、制御部１２は、医用レポートデータを送受信手段１５及びネットワークＮを介してレポートサーバ４に送信し保存する（Ｓ３１５）。
【図面の簡単な説明】
【００７２】
【図１】本発明に係る医用レポート作成システムの一実施形態における全体構成を表す構成図である。
【図２】第１の実施の形態の医用レポート作成システムにおけるレポート作成装置の制御構成の一例を示す機能ブロック図である。
【図３】処理内容テーブルの構成の一例を示す図である。
【図４】ハイパーリンクの形式で貼り付けられる情報の一例を示す図である。
【図５】第１の実施の形態におけるレポート作成装置における動作態様の一例を示すフローチャートである。
【図６】第２の実施の形態の医用レポート作成システムにおけるレポート作成装置の制御構成の一例を示す機能ブロック図である。
【図７】意味対照テーブルの構成の一例を示す図である。
【図８】第２の実施の形態におけるレポート作成装置における動作態様の一例を示すフローチャートである。
【図９】第３の実施の形態の医用レポート作成システムにおけるレポート作成装置の制御構成の一例を示す機能ブロック図である。
【図１０】キーワード抽出手段の構成の一例を示す機能ブロック図である。
【図１１】第３の実施の形態におけるレポート作成装置における動作態様の一例を示すフローチャートである。
【符号の説明】
【００７３】
１  レポート作成装置
２  医用画像診断装置
３  画像サーバ
４  レポートサーバ
５  表示装置
１１  入力手段
１２  制御部
１３  リンク付け手段
１４  表示手段
１５  送受信手段
１６  コンテンツ指定入力受付け手段
１７  文字列指定入力受付け手段
１８  コンテンツ処理手段
１９  処理内容テーブル
２０  キーワード化手段
２１  意味対照テーブル
２２  キーワード抽出手段
２３  単語分割手段    
２４  キーワード判定手段
２５  辞書テーブル
Ｎ  ネットワーク
【図１】
2008090644.tif 000003
【図２】
2008090644.tif 000004
【図３】
2008090644.tif 000005
【図４】
2008090644.tif 000006
【図５】
2008090644.tif 000007
【図６】
2008090644.tif 000008
【図７】
2008090644.tif 000009
【図８】
2008090644.tif 000010
【図９】
2008090644.tif 000011
【図１０】
2008090644.tif 000012
【図１１】
2008090644.tif 000013